(57)【要約】【課題】  現状オーダリングシステムから入手できる情報を追加或いは変更する事無く、患者情報から医師・看護師情報を読み取って記憶するナースコールシステムを提供する。【解決手段】  オーダリングシステム６から送信された最新の患者情報から、医師と看護師の情報を選択して読み取る医師・看護師情報読取手段１４と、医師と看護師の情報を記憶する医師・看護師情報記憶部１５と、既に記憶している情報と入手した新しい情報を比較するデータ比較手段１６と、変更されたデータのみ所定のタイミングで書込制御する書込制御手段１８とをナースコールサーバ５に設けた。【選択図】  図２
2008154771.tif 000002
【特許請求の範囲】
【請求項１】
患者が看護師を呼び出すためのナースコール子機と、前記ナースコール子機からの呼び出しを看護師に知らせるための廊下灯と、前記患者からの呼び出しに応答するためのナースコール親機と、前記ナースコール親機と前記廊下灯との間の通信を制御する制御機と、患者の診療科目や救護区分、更には担当医師情報や担当看護師情報等で構成される患者情報を記憶する患者情報データベースとを有し、前記患者情報データベースへ記憶する患者情報をオーダリングシステムから入手するナースコールシステムであって、
前記オーダリングシステムから送信される前記患者情報を基に、医師と看護師の情報を選択して読み取る医師・看護師情報読取手段と、医師と看護師の情報を記憶する医師・看護師情報記憶部と、記憶している医師・看護師情報を新しい情報に書き換える書込制御手段とを有することを特徴とするナースコールシステム。
【請求項２】
前記医師・看護師情報読取手段が読み取った医師・看護師情報と、既に登録されている医師・看護師情報とを比較するデータ比較手段を有し、医師・看護師情報記憶部に登録されていない医師或いは看護師の情報を入手した場合は、書込制御手段が医師・看護師情報記憶部に前記情報を追加登録することを特徴とする請求項１記載のナースコールシステム。
【請求項３】
前記医師・看護師情報読取手段が読み取った医師・看護師情報と、既に登録されている医師・看護師情報とを比較するデータ比較手段を有し、医師・看護師情報記憶部に登録されているが送信された患者情報にはない医師或いは看護師の情報がある場合は、書込制御手段が医師・看護師情報記憶部からその医師・看護師情報を削除することを特徴とする請求項１又は２記載のナースコールシステム。
【発明の詳細な説明】
【技術分野】
【０００１】
本発明はナースコールシステムに関し、特に電子カルテ情報等を扱うオーダリングシステムが接続されて、患者情報をオーダリングシステムから入手できるよう構成されたナースコールシステムに関する。
【背景技術】
【０００２】
従来より、オーダリングシステムに接続されて患者情報をオーダリングシステムから入手できるよう構成されたナースコールシステムがあった。このようなシステムでは、オーダリングシステムから、入院、退院等の各イベント毎に変更される患者情報が定期的に送信され、ナースコールシステムでは、ナースコールサーバにそれらの情報を記憶する患者情報記憶部を備え、送信受信した情報を保存していた。こうすることで、別途入力操作することなくナースコール親機のディスプレイ等に必要な患者情報を表示させることができ、看護活動をスムーズに行うことができた（例えば、特許文献１参照）。
【０００３】
図４は、従来のオーダリングシステムから入手した患者情報の流れを示すブロック説明図である。ナースコールサーバ３０は、オーダリングシステム３１から定期的に送信される患者情報を取り込んで登録操作する患者情報取込手段３２と、患者情報を保存する患者情報記憶部３３と、変更された患者情報がある場合はナースコール親機３４へ通知する患者情報変更通知手段３５と、別途医師情報と看護師情報をまとめた医師・看護師マスタを記憶する医師・看護師情報記憶部３６と、医師・看護師マスタの登録制御を行うマスタ登録制御手段３７とを備えていた。一方、ナースコール親機３４は、医師・看護師情報から成る医師・看護師マスタを作成するための入力操作手段３８、医師・看護師情報を表示する表示手段３９を備えていた。
そして、患者情報取込手段３２により、患者情報記憶部３３の情報は入手した最新の情報に書き換えが行われた。
【０００４】
【特許文献１】特開２００４−３１３５４４号公報
【発明の開示】
【発明が解決しようとする課題】
【０００５】
このようにナースコールサーバに患者情報を自動更新する機能を備えたものは、ナースコールシステム側で患者情報を入力する必要がなく便利であった。しかし、ナースコール親機において、患者の主治医や担当看護師を変更したり、増減させる変更が発生することがあり、その場合は看護師がナースコール親機を操作して行わなければならなかった。
この操作は、医師・看護師の一覧を見ながら行うことになるため、上述するように医師・看護師情報記憶部３６を設けて、手入力で医師・看護師マスタを作成して保存していたが、ナースコール親機３４に備えられているタッチパネル、マウス、キーボード等の入力操作手段３８を操作して作成されるため、看護師の負担が大きかった。
【０００６】
そのため、オーダリングシステムが接続されている場合は、患者情報とは別に医師・看護師情報を入手する方法が考えられるが、オーダリングシステムとナースコールシステムは独立したシステムであり、患者情報のインタフェースに加えて医師・看護師情報の通信シーケンスを取り決める事から始める必要があり、簡単ではなく実現には至っていなかった。
【０００７】
そこで、本発明はこのような問題点に鑑み、現状オーダリングシステムから入手できる情報を追加或いは変更する事無く、患者情報から医師・看護師情報を読み取って記憶するナースコールシステムを提供することを目的とする。
【課題を解決するための手段】
【０００８】
上記課題を解決する為に、請求項１の発明は、患者が看護師を呼び出すためのナースコール子機と、ナースコール子機からの呼び出しを看護師に知らせるための廊下灯と、患者からの呼び出しに応答するためのナースコール親機と、ナースコール親機と廊下灯との間の通信を制御する制御機と、患者の診療科目や救護区分、更には担当医師情報や担当看護師情報等で構成される患者情報を記憶する患者情報データベースとを有し、患者情報データベースへ記憶する患者情報をオーダリングシステムから入手するナースコールシステムであって、オーダリングシステムから送信される患者情報を基に、医師と看護師の情報を選択して読み取る医師・看護師情報読取手段と、医師と看護師の情報を記憶する医師・看護師情報記憶部と、記憶している医師・看護師情報を新しい情報に書き換える書込制御手段とを有することを特徴とする。
【０００９】
この構成によれば、オーダリングシステムから入手した患者情報から医師と看護師の情報が読み取られて、患者情報とは分離されて記憶されるので、医師・看護師情報を簡易な操作で引き出すことができる。よって、看護師がナースコール親機を操作して、患者の担当医師や担当看護師を変更したり新たに割り当てる作業を行う場合等、医師・看護師情報記憶部から必要な情報を入手でき、別途医師・看護師マスタを作成する必要がなくスムーズに作業できる。
【００１０】
請求項２の発明は、請求項１に記載の発明において、医師・看護師情報読取手段が読み取った医師・看護師情報と、既に登録されている医師・看護師情報とを比較するデータ比較手段を有し、医師・看護師情報記憶部に登録されていない医師或いは看護師の情報を入手した場合は、書込制御手段が医師・看護師情報記憶部に情報を追加登録することを特徴とする。
この構成によれば、個々のデータを比較して登録されていないデータのみ新たに登録する操作を行うので、その都度全てのデータを書き換える必要がない。そのため、短時間にデータ更新を実施できるし、変更された医師・看護師の情報を管理できる。
【００１１】
請求項３の発明は、請求項１又は２に記載の発明において、医師・看護師情報読取手段が読み取った医師・看護師情報と、既に登録されている医師・看護師情報とを比較するデータ比較手段を有し、医師・看護師情報記憶部に登録されているが送信された患者情報にはない医師或いは看護師の情報がある場合は、書込制御手段が医師・看護師情報記憶部からその医師・看護師情報を削除することを特徴とする。
この構成によれば、個々のデータを比較して、異動等で消去された医師或いは看護師がある場合は、そのデータのみ消去してデータを更新するので、その都度全てのデータを書き換える必要がない。そのため、短時間にデータ更新を実施できるし、変更された医師・看護師の情報を管理できる。また、消し忘れの情報が残ってしまうこともない。
【発明の効果】
【００１２】
本発明によれば、オーダリングシステムから入手した患者情報から医師と看護師の情報が読み出されて、患者情報データベースとは分離されて記憶されるので、医師・看護師情報を簡易な操作で引き出すことができる。よって、看護師がナースコール親機を操作して、患者の担当医師や担当看護師を変更したり新たに割り当てる作業を行う場合等、医師・看護師情報記憶部から必要な情報を入手でき、別途医師・看護師マスタを作成する必要がなくスムーズに作業できる。
【発明を実施するための最良の形態】
【００１３】
以下、本発明を具体化した実施の形態を、図面に基づいて詳細に説明する。図１は本発明に係るナースコールシステムの一例を示す構成図であり、１は患者が看護師を呼び出すためのナースコール子機、２はナースコール子機１からの呼び出しを看護師に知らせるための廊下灯、３は患者からの呼び出しに応答するためのナースコール親機、４はナースコール親機３と廊下灯２との間の通信を制御する制御機、５は患者情報を記憶する患者情報データベースとしてのナースコールサーバ、６は電子カルテ情報等を扱うオーダリングシステムである。
【００１４】
ナースコール子機１は、ベッド上の患者が呼出操作するための呼出握りボタン１ａと、壁面に取り付けられたプレート子機１ｂで構成され、プレート子機１ｂには患者が看護師と通話するためのマイク及びスピーカが取り付けられている。一方、ナースコール親機３は、患者等と通話する為のハンドセット３ａ、患者情報を表示するディスプレイ３ｂを備えている。また、このディスプレイ３ｂはタッチパネルが組み付けられて各種操作を可能としている。
【００１５】
尚、制御機５とナースコール親機３及び廊下灯２とはツイストペアケーブル等の伝送線８で接続され、ナースコール親機３とナースコールサーバ５及びオーダリングシステム６とはＬＡＮ９で接続されている。そして、このＬＡＮ９を介してオーダリングシステム６からナースコールサーバ５へは定期的に患者情報が送信されている。
【００１６】
図２は、ナースコール親機３とナースコールサーバ５において患者情報の流れを説明するためのブロック説明図であり、ナースコールサーバ５は、オーダリングシステム６から定期的に送信されてくる患者情報を取り込む患者情報取込手段１１、取り込んだ患者情報を記憶する患者情報記憶部１２、変更された患者情報があったらナースコール親機３に通知する患者情報変更通知手段１３、患者情報から医師・看護師情報を選択して読み取る医師・看護師情報読取手段１４、医師・看護師情報を記憶する医師・看護師情報記憶部１５、読み取った医師・看護師情報と既に記憶している情報を比較するデータ比較手段１６、医師・看護師情報読取手段１４とデータ比較手段１６を制御する反映制御手段１７、医師・看護師情報の書き込みを制御する書込制御手段１８を有している。
尚、ナースコールサーバ５はＣＰＵ（サーバＣＰＵ）により制御され、上記反映手段１７、書込制御手段１８はサーバＣＰＵである。また、患者情報取込手段１１、患者情報変更通知手段１３、医師・看護師情報読取手段１４、データ比較手段１６は、このサーバＣＰＵにより制御されている。
【００１７】
一方、ナースコール親機３は、医師・看護師情報記憶部１５の記憶情報を変更操作する入力操作手段２０、医師・看護師情報を表示する表示手段２１を備えている。具体的に、入力操作手段２０は、タッチパネル、マウス、キーボード等であり、表示手段２１はディスプレイ３ｂである。そして、このナースコール親機３は図示しないＣＰＵ（親機ＣＰＵ）により制御され、この親機ＣＰＵが、入力操作手段２０の操作を受けて、ナースコールサーバ５が記憶している医師・看護師情報の書き換えや登録制御を行う。こうして、医師・看護師情報記憶部１５の情報はオーダリングシステム６から送られてくる情報を受けて自動更新されるが、ナースコール親機３の操作で変更等が可能となっている。
尚、自動更新された項目は、ナースコール親機３内のデータに関しては、ナースコール親機側で更新操作しなければ更新されないので、患者情報変更通知手段１３により変更通知が成される。
【００１８】
図３はオーダリングシステム６から送信される患者情報データの具体例を示している。患者情報は、この図３に示すように、患者のＩＤ、氏名、性別情報を始め、図示しない救護区分や感染症、診療科目、更には担当医師情報や担当看護師情報等で構成されている。そして、このような情報を有する入院患者全ての患者情報が、所定時間間隔でナースコールシステムに送信される。
【００１９】
このように構成されたナースコールシステムにおいて、患者情報の流れは次のようになる。患者情報取込手段１１は、オーダリングシステム６から受信した患者情報を患者情報記憶部１２に記憶されている患者情報と比較し、差異がある場合には患者情報を書き換えて更新する。また、患者情報変更通知手段１３は、変更された患者情報がある場合は、ナースコール親機３に通知する。この変更情報を受けたナースコール親機３は、例えばディスプレイ３ｂ上に患者情報が変更されたことをポップアップ表示する。
【００２０】
一方、.反映制御手段１７の制御により、医師・看護師情報読取手段１４が患者情報記憶部１２の患者情報から医師と看護師の情報を読み取り、自動書き換えが実施される。この書き換えは所定のタイミングで実施され、オーダリングシステムから送られてくるデータの取込や、ナースコール親機３の患者情報更新とは非同期のタイミングで実施される。
【００２１】
具体的に医師・看護師情報読取手段１４は、現在病棟に存在する入院患者の患者情報（オーダリングシステム６から入手した最新情報）を患者情報記憶部１２から入手し、その中の医師、看護師の登録エリアに記載されている情報を順次読み込む。具体的に、医師名或いは看護師名が重複する場合はそのデータは読み飛ばして読み込み、患者間で同一の医師や看護師がいる場合もそのデータは読み飛ばして読み込む。次に、データ比較手段１６にて、取得した医師・看護師情報と、すでに医師・看護師情報記憶部１５に存在している医師・看護師情報を比較する。尚、医師・看護師情報記憶部１５は病院全体の医師、看護師を保持するとともに、各病棟の割り当て状況も管理している。
【００２２】
こうして比較した結果、送られてきた患者情報一覧から取得した医師・看護師情報のなかには存在するが、医師・看護師情報記憶部１５から取得したデータの中には存在しない場合は、書込制御手段１８により医師・看護師情報記憶部１５にデータを追加する。ただし各病棟の割り当てはしない。逆に、送られてきた患者情報一覧から取得したデータの中には存在せず、医師・看護師情報記憶部には存在する場合は、医師・看護師情報記憶部１５から該当するデータを削除する。同時に各病棟に連携されていた情報も削除する。
【００２３】
一方、医師・看護師情報記憶部１５へのデータの追加、削除については、ナースコール親機３の入力操作手段２０を用いても行うことが可能であり、入力操作手段２０により、ナースコール親機３のディスプレイ３ｂに、医師・看護師情報記憶部１５の情報を表示させて医師・看護師情報を確認しながら追加削除操作ができる。
【００２４】
このように、オーダリングシステムから入手した患者情報から医師と看護師の情報が読み取られて、患者情報とは分離されて記憶されるので、医師・看護師情報を簡易な操作で引き出すことができる。よって、看護師がナースコール親機を操作して、患者の担当医師や担当看護師を変更したり新たに割り当てる作業を行う場合等、医師・看護師情報記憶部から必要な情報を入手でき、別途医師・看護師マスタを作成する必要がなくスムーズに作業できる。
また、個々のデータを比較して登録されていないデータのみ新たに登録する操作を行うし、異動等で消去された医師或いは看護師がある場合は、そのデータのみ消去してデータを更新するので、その都度全てのデータを書き換える必要がないし、消し忘れの情報が残ってしまうこともない。そのため、短時間にデータ更新を実施できるし、変更された医師・看護師の情報を管理できる。
【００２５】
尚、上記実施形態では、ナースコール親機３とナースコールサーバ５を独立した機器として構成しているが、一体化しても良い。また、医師・看護師情報の更新は、変更された情報のみ書き換えて更新しているが、一括して全てのデータを書き換えて更新しても良い。また、患者情報の更新と、医師・看護師情報の更新を非同期で行っているが、同期させてオーダリングシステム６から患者情報を受信する時に合わせて医師・看護師情報を更新させても良い。
【図面の簡単な説明】
【００２６】
【図１】本発明に係るナースコールシステムの実施形態の一例を示す構成図である。
【図２】図１のナースコールシステムにおいて患者情報の流れを示すブロック説明図である。
【図３】患者情報データの一例を示す表図である。
【図４】従来のナースコールシステムの患者情報の流れを示すブロック説明図である。
【符号の説明】
【００２７】
１・・ナースコール親機、２・・廊下灯、３・・ナースコール親機、３ｂ・・ディスプレイ、４・・制御機、５・・ナースコールサーバ（患者情報データベース）、６・・オーダリングシステム、１１・・患者情報取込手段、１２・・患者情報記憶部、１３・・患者情報変更通知手段、１４・・医師・看護師情報読取手段、１５・・医師・看護師情報記憶部、１６・・データ比較手段、１７・・反映制御手段、１８・・書込制御手段。
【図１】
2008154771.tif 000003
【図２】
2008154771.tif 000004
【図３】
2008154771.tif 000005
【図４】
2008154771.tif 000006